(57)【要約】【課題】回り階段を構成する蹴込み板の前面と側桁の前面とが鈍角をなす箇所において、蹴込み板の前面とこの彫込みの入り口縁との接し合う箇所を、格別の配慮をすることなく、美しく仕上げることができる構造を持った蹴込み板を提供する。【解決手段】蹴込み板１’における側桁２の彫込み２ｂに入れ込まれる両端部１ｃ、１ｃのうち、側桁２の前面２ａと蹴込み板１’の前面１ａとが鈍角をなすこととなる側の一方端部１ｃに、蹴込み板１’の前面１ａ側に向けられ、かつ、蹴込み板１’の前面１ａとの間に鈍角となる隅部１ｇを形成するカット面１ｅがプレカットにより形成してあると共に、隅部１ｇを彫込み２ｎの入り口縁２ｅとほぼ同じ位置に位置付けて設置されるようにしてある。【選択図】      図１
2004225262.tif 000002
【特許請求の範囲】
【請求項１】
回り階段を構成する蹴込み板であって、
この蹴込み板における側桁の彫込みに入れ込まれる両端部のうち、この側桁の前面と蹴込み板の前面とが鈍角をなすこととなる側の一方端部に、
蹴込み板の前面側に向けられ、かつ、この蹴込み板の前面との間に鈍角となる隅部を形成するカット面がプレカットにより形成してあると共に、
前記隅部を彫込みの入り口縁とほぼ同じ位置に位置づけて設置されるようにしてあることを特徴とする回り階段用蹴込み板。
【請求項２】
回り階段を構成する蹴込み板であって、
この蹴込み板における側桁の彫込みに入れ込まれる両端部のうち、この側桁の前面と蹴込み板の前面とが鈍角をなすこととなる側の一方端部に、
蹴込み板の前面側に向けられたアール面がプレカットにより形成してあると共に、
このアール面と蹴込み板の前面とが接する隅部を彫込みの入り口縁とほぼ同じ位置に位置づけて設置されるようにしてあることを特徴とする回り階段用蹴込み板。
【発明の詳細な説明】
【０００１】
【発明の属する技術分野】
この発明は、回り階段、ないしは、回り階段と折れ階段を組み合わせてなる組み合わせ階段における回り階段部に用いられて、段板および側桁と共に、かかる回り階段を構成させる蹴込み板の改良に関する。
【０００２】
【従来の技術】
現在一般に、蹴込み板は、前面および背面を持ち、かつ、その厚さ方向にある四つの端面をいずれもこの前面および背面にほぼ直交させる向きの面とした単純な板材から構成されると共に、その長さ寸法を、回り階段を構成する一対の側桁における対応する彫込みの底間のストロークよりもやや大きくするように用意されるものとされ、施工現場において、この一対の側桁における対応する彫込みにそれぞれ両端部を入れ込める長さにカッティング（以下、長さ合わせのためのカッティングという。）されて設置されている。
【０００３】
【発明が解決しようとする課題】
しかるに、回り階段においては、設置される蹴込み板１における前面１ａと側桁２の前面２ａとが鈍角をなす箇所ｙと、鋭角をなす箇所ｘとが生じる。（図３）
【０００４】
その一方で、側桁２に条設される彫込み２ｂは、基本的に、側桁２の前面２ａに対して直角方向に形成され、またその深さは基本的に一定とされる。
【０００５】
こうしたことから、回り階段においては、蹴込み板１に対し、前記長さ合わせのためのカッティングを単純に行うだけでは足りず、彫込み２ｂに入れ込まれる蹴込み板１の端部１ｃが彫込み２ｂの溝壁および底に干渉しないように、施工現場においてこの端部１ｃにセッティング用のカットを施す必要があり、前記鋭角側のみならず鈍角側においても蹴込み板１の端部１ｃにカットが施されている。（図４において、カットにより取り除く部分を符号１ｂで示す。）
【０００６】
しかるに、前記鋭角をなす箇所ｘでは、蹴込み板１の端部１ｃ入れ込みのストロークは、彫込み２ｂの穿設方向に沿った向きに蹴込み板１の端部１ｃが入れ込まれる場合（つまり、直階式の階段を構成する蹴込み板の場合）に比べて大きくなるが、鈍角をなす箇所ｙでは、蹴込み板１の端部１ｃ入れ込みのストロークは、彫込み２ｂの穿設方向に沿った向きに蹴込み板１の端部１ｃが入れ込まれる場合に比べて小さくなる。
【０００７】
その一方で、前記鋭角側では、蹴込み板１の前面１ａとこの彫込み２ｂの入り口縁２ｅとの接し合う箇所ｚがあまり目立たないが、前記鈍角側では、蹴込み板１の前面１ａとこの彫込み２ｂの入り口縁２ｅとの接し合う箇所ｚが目立つ。
【０００８】
このため、蹴込み板１の前面１ａとこの彫込み２ｂの入り口縁２ｅとの接し合う箇所ｚに不自然な隙間などが形成されないように、前記カットを施すことは必ずしも容易でなかった。特に、前記鈍角をなす箇所ｙでは、この蹴込み板１の前面１ａとこの彫込み２ｂの入り口縁２ｅとの接し合う箇所ｚが目立つ反面で、蹴込み板１の端部１ｃ入れ込みのストロークが小さいため、前記のような隙間などを形成させないようにこのカットをなすことには格別の配慮を必要とさせるところであった。
【０００９】
図５に示されるように、彫込み２ｂにおける入れ込まれる蹴込み板１の端部１ｃにおける蹴込み板１の前面１ａ側に接する溝壁を彫込み２ｂの幅を彫込み２ｂの底に近付くに連れて広げさせるように彫込み２ｂを条設させておくことも一つの対処ではあるが、このようにする彫込み２ｂの加工には相応の手間を要すると共に、彫込み２ｂの入り口縁２ｅ部が脆弱となる不都合がある。
【００１０】
そこでこの発明は、回り階段を構成する蹴込み板の前面と側桁の前面とが鈍角をなす箇所において、蹴込み板の前面とこの彫込みの入り口縁との接し合う箇所を、格別の配慮をすることなく、美しく仕上げることができる構造を持った蹴込み板を提供することを主たる目的とする。
【００１１】
【課題を解決するための手段】
前記目的を達成するために、請求項１記載の発明にあっては、回り階段を構成する蹴込み板が、
この蹴込み板における側桁の彫込みに入れ込まれる両端部のうち、この側桁の前面と蹴込み板の前面とが鈍角をなすこととなる側の一方端部に、
蹴込み板の前面側に向けられ、かつ、この蹴込み板の前面との間に鈍角となる隅部を形成するカット面がプレカットにより形成してあると共に、
前記隅部を彫込みの入り口縁とほぼ同じ位置に位置付けて設置されるようにしてあることを特徴としている。
【００１２】
かかる構成によれば、側桁の前面と蹴込み板の前面とが鈍角をなす一方端部には、施工現場において、なんらの造作を施すことなく、この一方端部をこの鈍角側の側桁の彫込みにはめ込ませることができる。
【００１３】
そして、施工現場においては、鈍角側の側桁の彫込みに前記一方端部を入れ込み切らせた状態を基準として、蹴込み板の他方端部側、つまり、鋭角側に位置される蹴込み板の端部側をカットすることにより、この一方端部と他方端部とをそれぞれ、回り階段を構成する一対の側桁における対応する彫込みに、適切に入れ込ませることができる。もちろん、蹴込み板の長さ寸法を、回り階段を構成する一対の側桁における対応する彫込みの底間のストローク内に納まる長さにプレカットしておけば、かかる鋭角側に位置される蹴込み板の端部側をカットすることなく、蹴込み板の一方端部と他方端部とをそれぞれ、回り階段を構成する一対の側桁における対応する彫込みに、適切に入れ込ませることができる。
【００１４】
この結果、蹴込み板の端部入れ込みのストロークの余裕が少なくなる前記鈍角側において、蹴込み板の前面とこの彫込みの入り口縁との間に、施工者に格別の熟練がなくても、不自然な隙間などをできる限り生じさせることがない回り階段施工が可能とされる。
【００１５】
すなわち、前記鈍角側では、蹴込み板の前面とこの彫込みの入り口縁との接し合う箇所が目立ち、一方、前記鋭角側では、蹴込み板の前面とこの彫込みの入り口縁との接し合う箇所があまり目立たないが、この接し合う箇所が目立つ鈍角側において、この接し合う箇所を、容易にかつ美しく仕上げることが可能となる。
【００１６】
また、蹴込み板の一方端部側に対し、施工現場において何らの造作も要しないことから、階段施工の施工手間の軽減にも資する特長を有している。
【００１７】
また、請求項２記載の発明にあっては、回り階段を構成する蹴込み板が、
この蹴込み板における側桁の彫込みに入れ込まれる両端部のうち、この側桁の前面と蹴込み板の前面とが鈍角をなすこととなる側の一方端部に、
蹴込み板の前面側に向けられたアール面がプレカットにより形成してあると共に、
このアール面と蹴込み板の前面とが接する隅部を彫込みの入り口縁とほぼ同じ位置に位置付けて設置されるようにしてあることを特徴としている。
【００１８】
かかる構成によれば、側桁の前面と蹴込み板の前面とが鈍角をなす一方端部には、施工現場において、なんらの造作を施すことなく、この一方端部をこの鈍角側の側桁の彫込みにはめ込ませることができる。また、前記一方端部の蹴込み板の前面側に向けられた側は前記アール面とされていることから、前記鈍角側においてこのアール面と蹴込み板の前面とが接する隅部を彫込みの入り口縁に対し正確に位置づけなくても、蹴込み板の前面とこの彫込みの入り口縁との接し合う箇所に、違和感を生じさせることがない。
【００１９】
そして、施工現場においては、鈍角側の側桁の彫込みに前記一方端部を入れ込み切らせた状態を基準として、蹴込み板の他方端部側、つまり、鋭角側に位置される蹴込み板の端部側をカットすることにより、この一方端部と他方端部とをそれぞれ、回り階段を構成する一対の側桁における対応する彫込みに、適切に入れ込ませることができる。もちろん、蹴込み板の長さ寸法を、回り階段を構成する一対の側桁における対応する彫込みの底間のストローク内に納まる長さにプレカットしておけば、かかる鋭角側に位置される蹴込み板の端部側をカットすることなく、蹴込み板の一方端部と他方端部とをそれぞれ、回り階段を構成する一対の側桁における対応する彫込みに、適切に入れ込ませることができる。
【００２０】
この結果、蹴込み板の端部入れ込みのストロークの余裕が少なくなる前記鈍角側において、蹴込み板の前面とこの彫込みの入り口縁との間に、施工者に格別の熟練がなくても、不自然な隙間などをできる限り生じさせることがない回り階段施工が可能とされる。
【００２１】
すなわち、前記鈍角側では、蹴込み板の前面とこの彫込みの入り口縁との接し合う箇所が目立ち、一方、前記鋭角側では、蹴込み板の前面とこの彫込みの入り口縁との接し合う箇所があまり目立たないが、この接し合う箇所が目立つ鈍角側において、この接し合う箇所を、容易にかつ美しく仕上げることが可能となる。
【００２２】
また、蹴込み板の一方端部側に対し、施工現場において何らの造作も要しないことから、階段施工の施工手間の軽減にも資する特長を有している。
【００２３】
【発明の実施の形態】
以下、図１ないし図３に基づいて、この発明の典型的な実施の形態について説明する。
【００２４】
なお、ここで図１および図２は、実施の形態にかかる蹴込み板１’の構成を理解し易いように、一対の側桁２、２間に設置された状態のこの蹴込み板１’と側桁２とを水平断面の状態として示している。（両図においては、段板３その他の回り階段Ｒの構成材の記載を省略している。）また、図３は、回り階段Ｒの要部を平面視の状態として表している。
【００２５】
この実施の形態にかかる回り階段Ｒ用の蹴込み板１’は、回り階段Ｒ、ないしは、回り階段Ｒと折れ階段を組み合わせてなる組み合わせ階段における回り階段Ｒ部に用いられて、段板３および側桁２と共に、かかる回り階段Ｒを構成させるものである。
【００２６】
これらの蹴込み板１’、段板３、側桁２は、典型的には、木材ないしは木質材によって構成される。
【００２７】
かかる蹴込み板１’は、長方形の板状をなすように構成される。すなわち、かかる蹴込み板１’は、前面１ａと背面１ｄを有すると共に、長さ方向に沿った上下の端部と、幅方向に沿った左右の端部１ｃ、１ｃとを有する。蹴込み板１’の設置状態において、上下の端部は、水平方向に配され、左右の端部１ｃ、１ｃは上下方向に配される。そしてこの蹴込み板１’は、左右の端部１ｃ、１ｃの一方を、回り階段Ｒを構成する向き合った側桁２の一方に形成された彫込み２ｂ（溝）にはめ込ませ、また、左右の端部１ｃ、１ｃの他方を、回り階段Ｒを構成する向き合った側桁２の他方に形成された彫込み２ｂにはめ込ませて、上下において隣り合う段板３間の蹴上げ間隔を塞ぐように設置される。
【００２８】
図３に示されるように、回り階段Ｒにおいては、このように設置される蹴込み板１’における前面１ａと側桁２の前面２ａとが鈍角をなす箇所ｙと、鋭角をなす箇所ｘとが生じる。
【００２９】
ここで、側桁２に条設される彫込み２ｂは、基本的に、側桁２の前面２ａに対して直角方向に形成され、この彫込み２ｂはこの前面に対して直交する溝壁２ｃと、この前面にほぼ平行となる底２ｄとを持ち、またその深さは基本的に一定とされる。これは、側桁２もプレカットにより用意される要請が高いと共に、彫込み２ｂを側桁２の前面２ａに対して斜めとなるように条設することが実際上行い難いためである。（いわゆるＮＣ加工によりプレカットするにあたっては、このように斜めに彫込み２ｂを条設するためには、複数種類の刃物とこれらの刃物を交換しての切削が必要となり、加工費の低廉、生産性の向上が図れない。）このため、鋭角をなす箇所ｘでは、蹴込み板１’の端部１ｃ入れ込みのストロークは、彫込み２ｂの穿設方向に沿った向きに蹴込み板１’の端部１ｃが入れ込まれる場合（つまり、直階式の階段を構成する蹴込み板１’の場合）に比べて大きくなるが、鈍角をなす箇所ｙでは、蹴込み板１’の端部１ｃ入れ込みのストロークは、彫込み２ｂの穿設方向に沿った向きに蹴込み板１’の端部１ｃが入れ込まれる場合に比べて小さくなる。
【００３０】
しかるに、この実施の形態にかかる蹴込み板１’のうち、図１に示される蹴込み板１’にあっては、
この蹴込み板１’における側桁２の彫込み２ｂに入れ込まれる両端部１ｃ、１ｃのうち、この側桁２の前面２ａと蹴込み板１’の前面とが鈍角をなすこととなる側の一方端部１ｃに、
蹴込み板１’の前面側に向けられ、かつ、この蹴込み板１’の前面１ａとの間に鈍角となる隅部１ｇを形成するカット面１ｅがプレカットにより形成してあると共に、
前記隅部１ｇを彫込み２ｂの入り口縁２ｅとほぼ同じ位置に位置付けて設置されるようにしてある。
【００３１】
また、この実施の形態にかかる蹴込み板１’のうち、図２に示される蹴込み板１’にあっては、
この蹴込み板１’における側桁２の彫込み２ｂに入れ込まれる両端部１ｃ、１ｃのうち、この側桁２の前面２ａと蹴込み板１’の前面１ａとが鈍角をなすこととなる側の一方端部１ｃに、
蹴込み板１’の前面１ａ側に向けられたアール面１ｆがプレカットにより形成してあると共に、
このアール面１ｆと蹴込み板１’の前面１ａとが接する隅部１ｇを彫込み２ｂの入り口縁２ｅとほぼ同じ位置に位置付けて設置されるようにしてある。
【００３２】
これにより、この実施の形態にかかる蹴込み板１’にあっては、側桁２の前面２ａと蹴込み板１’の前面１ａとが鈍角をなす一方端部１ｃには、施工現場において、なんらの造作を施すことなく、この一方端部１ｃをこの鈍角側の側桁２の彫込み２ｂにはめ込ませることができる。
【００３３】
すなわち、前記カット面１ｅおよびアール面１ｆは、前記鈍角側の彫込み２ｂに対し斜めに入れ込まれる蹴込み板１’の一方端部１ｃが、この彫込み２ｂの溝壁２ｃないし底２ｄに干渉しないようにして、形成される。
【００３４】
具体的には、図示の例にあっては、かかる蹴込み板１’は、その長さ寸法を、回り階段Ｒを構成する一対の側桁２、２における対応する彫込み２ｂの底２ｄ間のストロークよりもやや大きくするように、用意されている。
【００３５】
そして、施工現場においては、鈍角側の側桁２の彫込み２ｂに前記一方端部１ｃを入れ込み切らせた状態を基準として、蹴込み板１’の他方端部１ｃ側、つまり、鋭角側に位置される蹴込み板１’の端部１ｃ側をカットすることにより、この一方端部１ｃと他方端部１ｃとをそれぞれ、回り階段Ｒを構成する一対の側桁２、２における対応する彫込み２ｂに、適切に入れ込ませることができるようになっている。もちろん、蹴込み板１’の長さ寸法を、回り階段Ｒを構成する一対の側桁２、２における対応する彫込み２ｂの底２ｄ間のストローク内に納まる長さにプレカットしておけば、かかる鋭角側に位置される蹴込み板１’の端部１ｃ側をカットすることなく、蹴込み板１’の一方端部１ｃと他方端部１ｃとをそれぞれ、回り階段Ｒを構成する一対の側桁２、２における対応する彫込み２ｂに、適切に入れ込ませることができる。
【００３６】
この結果、蹴込み板１’の端部１ｃ入れ込みのストロークの余裕が少なくなる前記鈍角側において、蹴込み板１’の前面１ａとこの彫込み２ｂの入り口縁２ｅとの間に、施工者に格別の熟練がなくても、不自然な隙間などをできる限り生じさせることがない回り階段Ｒ施工が可能とされる。
【００３７】
すなわち、前記鈍角側では、蹴込み板１’の前面１ａとこの彫込み２ｂの入り口縁２ｅとの接し合う箇所が目立ち、一方、前記鋭角側では、蹴込み板１’の前面１ａとこの彫込み２ｂの入り口縁２ｅとの接し合う箇所があまり目立たないが、この接し合う箇所が目立つ鈍角側において、この接し合う箇所を、容易にかつ美しく仕上げることが可能となる。
【００３８】
また、蹴込み板１’の一方端部１ｃ側に対し、施工現場において何らの造作も要しないことから、階段施工の施工手間の軽減にも資する特長を有している。
【００３９】
（第一実施例）
図１に示される例にあっては、蹴込み板１’は、水平方向の断面形状を、上下方向に亘るいずれの位置においてもほぼ一様とするように形成されている。
【００４０】
その一方端部１ｃには、蹴込み板１’の前面１ａとの間に鈍角となる隅部１ｇを形成するカット面１ｅが蹴込み板１’の上下方向に亘って蹴込み板１’の前面１ａ側に向くように形成されている。
【００４１】
このカット面１ｅによって、この一方端部１ｃに施工現場において何らの造作を施すことなく、前記鈍角側において、側桁２の彫込み２ｂに適切に入れ込むことが可能とされる。
【００４２】
必要に応じて、蹴込み板１’のかかる一方端部１ｃに、さらに、蹴込み板１’の背面１ｄとの間に鈍角となる隅部１ｇを形成する第二カット面を蹴込み板１’の背面１ｄに向くように形成させておいても良い。（図示は省略する。）このようにした場合、蹴込み板１’の一方端部１ｃには、前記カット面１ｅと第二カット面との接し合う稜部が形成され、蹴込み板１’の一方端部１ｃは断面形状において、尖った山形状をなすようになる。
【００４３】
図１に示される例にあっては、蹴込み板１’の他方端部１ｃは、このようなプレカットを施しておらず、この他方端部１ｃには蹴込み板１’の前面１ａと背面１ｄとの間にそれぞれほぼ直角となる隅部を形成させるストレート面１ｈが形成されている。この他方端部１ｃを、前記のようにカットして、蹴込み板１’は回り階段Ｒを構成する一対の側桁２、２間にはめ込まれる。（カットにより取り除かれる部分を図１において符号１ｂで示す。）
【００４４】
図１に示されるように、鈍角側は回り階段Ｒの各所において、一対の側桁２、２の一方側となったり、他方側となったりするが、このように構成された蹴込み板１’にあっては、蹴込み板１’を上下に逆にし、かつ、左右に逆にして使い回すことにより、鈍角側が一対の側桁２、２のどちら側となる場合でも、前記カット面１ｅが蹴込み板１’の前面１ａ側に位置されるようにして支障なく利用することができる。
【００４５】
（第二実施例）
図２に示される例にあっても、蹴込み板１’は、水平方向の断面形状を、上下方向に亘るいずれの位置においてもほぼ一様とするように形成されている。
【００４６】
その一方端部１ｃには、アール面１ｆが蹴込み板１’の上下方向に亘って蹴込み板１’の前面１ａ側に向くように形成されている。
【００４７】
このアール面１ｆによって、この一方端部１ｃに施工現場において何らの造作を施すことなく、前記鈍角側において、側桁２の彫込み２ｂに適切に入れ込むことが可能とされる。また、前記一方端部１ｃの蹴込み板１’の前面１ａ側に向けられた側は前記アール面１ｆとされていることから、前記鈍角側においてこのアール面１ｆと蹴込み板１’の前面１ａとが接する隅部１ｇを彫込み２ｂの入り口縁２ｅに対し正確に位置づけなくても、蹴込み板１’の前面１ａとこの彫込み２ｂの入り口縁２ｅとの接し合う箇所ｚに、違和感を生じさせることがない。
【００４８】
必要に応じて、蹴込み板１’のかかる一方端部１ｃに、さらに、第二アール面を蹴込み板１’の背面１ｄに向くように形成させておいても良い。（図示は省略する。）このようにした場合、蹴込み板１’の一方端部１ｃは、前記アール面１ｆと第二アール面とによって半円状の外郭形状を持つように形成され、蹴込み板１’の一方端部１ｃは断面形状において、丸い山形状をなすようになる。
【００４９】
【発明の効果】
この発明にかかる蹴込み板によれば、回り階段を構成する蹴込み板の前面と側桁の前面とが鈍角をなす箇所において、蹴込み板の前面とこの彫込みの入り口縁との接し合う箇所を、格別の配慮をすることなく、美しく仕上げることができる。
【図面の簡単な説明】
【図１】第一実施例にかかる蹴込み板１’の設置状態を示す断面構成図（水平断面）
【図２】第二実施例にかかる蹴込み板１’の設置状態を示す要部断面構成図（水平断面）
【図３】回り階段Ｒの要部平面構成図
【図４】従来の蹴込み板１の設置状態を示す断面構成図（水平断面）
【図５】本発明に先立ち検討された蹴込み板１の設置状態を示す断面構成図（水平断面）
【符号の説明】
Ｒ  回り階段
１’蹴込み板
１ａ  前面
１ｃ  端部
１ｅ  カット面
１ｇ  隅部
２  側桁
２ａ  前面
２ｂ  彫込み
２ｅ  入り口縁
【図１】
2004225262.tif 000003
【図２】
2004225262.tif 000004
【図３】
2004225262.tif 000005
【図４】
2004225262.tif 000006
【図５】
2004225262.tif 000007